(57)【要約】【課題】合成ダイバーシチ方式を適用した受信装置において、複数のＯＦＤＭ信号を合成する際の劣化を回避し、受信信号の品質の向上を図ることを目的とする。【解決手段】遅延制御手段３２は、第１の受信部１０−１が出力する出力信号Ｓｏ１と第２の受信部１０−２が出力する出力信号Ｓｏ２との間の信号間時間差が減少するよう遅延時間調整器２４−１および２４−２に対する遅延時間の調整量を決定し、遅延制御信号ＤＣ−１およびＤＣ−２を生成して出力する。位相制御手段３４は、出力信号Ｓｏ１の搬送波の位相と出力信号Ｓｏ２の搬送波の位相との間の差が減少するよう位相調整器２６−１および２６−２に対する位相推移の調整量を決定し、位相制御信号ＰＣ−１およびＰＣ−２を生成して出力する。【選択図】図２
2008109492.tif 000002
【特許請求の範囲】
【請求項１】
それぞれＯＦＤＭ信号を受信する第１の受信部および第２の受信部を備えるＯＦＤＭ信号受信装置であって、
前記第１の受信部で受信された第１のＯＦＤＭ信号の位相と前記第２の受信部で受信された第２のＯＦＤＭ信号の位相との差である受信位相差を低減するように、前記第１のＯＦＤＭ信号と前記第２のＯＦＤＭ信号の少なくとも一方の位相を調整して出力する位相差調整手段と、
前記第１のＯＦＤＭ信号の遅延時間と前記第２のＯＦＤＭ信号の遅延時間との差である受信遅延時間差を低減するように、前記第１のＯＦＤＭ信号と前記第２のＯＦＤＭ信号の少なくとも一方の遅延時間を調整して出力する時間差調整手段と、
を備える特性差低減部と、
前記特性差低減部が出力する信号を合成して出力する合成部と、
を備えることを特徴とするＯＦＤＭ信号受信装置。
【請求項２】
請求項１に記載のＯＦＤＭ信号受信装置であって、
前記位相差調整手段は、
前記特性差低減部が出力する前記第１のＯＦＤＭ信号の位相と前記特性差低減部が出力する前記第２のＯＦＤＭ信号の位相との差である特性差低減位相差を検出する位相差検出手段を備え、
前記特性差低減位相差に基づいて前記受信位相差を低減することを特徴とするＯＦＤＭ信号受信装置。
【請求項３】
請求項１または請求項２に記載のＯＦＤＭ信号受信装置であって、
前記時間差調整手段は、
前記特性差低減部が出力する前記第１のＯＦＤＭ信号の遅延時間と前記特性差低減部が出力する前記第２のＯＦＤＭ信号の遅延時間との差である特性差低減時間差を検出する時間差検出手段を備え、
前記特性差低減時間差に基づいて前記受信遅延時間差を低減することを特徴とするＯＦＤＭ信号受信装置。
【請求項４】
請求項１から請求項３のいずれか１項に記載のＯＦＤＭ信号受信装置と、
前記合成部が出力する信号を送信する送信部と、
を備えることを特徴とするＯＦＤＭ信号中継装置。
【発明の詳細な説明】
【技術分野】
【０００１】
本発明は、ＯＦＤＭ信号を受信するＯＦＤＭ信号受信装置と、当該ＯＦＤＭ信号受信装置を備えるＯＦＤＭ信号中継装置に関する。
【背景技術】
【０００２】
複数のアンテナで受信された信号を合成する合成ダイバーシチ方式をＯＦＤＭ信号に対して適用した受信装置が用いられている。この受信装置では、複数のアンテナで受信された複数のＯＦＤＭ信号を、相互の遅延時間の差が所定の時間内となるよう調整して合成することで受信信号の品質の向上を図る。特許第２８０３６１４号公報には、このような受信装置を適用した移動中継装置について記載されている。
【０００３】
【特許文献１】特許第２８０３６１４号公報
【発明の開示】
【発明が解決しようとする課題】
【０００４】
しかし、上述の受信装置では、必ずしも合成信号の品質が向上するとは限らない。それは、遅延時間の差が所定の時間内となるよう調整して複数のＯＦＤＭ信号を合成したとしても、次に示すように、複数のＯＦＤＭ信号のそれぞれの搬送波の位相が互いに異なる場合には、合成後の信号に劣化が生じるためである。
【０００５】
例えば、同一のベースバンド信号によって変調されたＯＦＤＭ信号Ｏａ−１およびＯＦＤＭ信号Ｏｂが合成ダイバーシチ方式を適用する受信装置で受信されるものとする。図８（１）は、ＯＦＤＭ信号Ｏａ−１のタイミングとその搬送波Ｃａ−１のタイミングとの関係を示し、図８（２）はＯＦＤＭ信号Ｏｂのタイミングとその搬送波Ｃｂのタイミングとの関係を示す。ＯＦＤＭ信号ＯｂはＯＦＤＭ信号Ｏａ−１に対して時間ｔｄだけ遅延して受信装置で受信される。
【０００６】
また、図８（３）にＯＦＤＭ信号Ｏａ−１を時間ｔｄだけ遅延させたＯＦＤＭ信号Ｏａ−２のタイミングとその搬送波Ｃａ−２とのタイミングを示す。ただし、図８（１）から（３）ではＯＦＤＭ信号のタイミングとその搬送波とのタイミングを概念的に説明するため、搬送波の時間軸のスケールを引き延ばして示している。
【０００７】
図８（２）および（３）に示されるように、ＯＦＤＭ信号ＯｂおよびＯＦＤＭ信号Ｏａ−２との間にはタイミングの差はないが、それぞれの搬送波ＣｂとＣａ−２との間には図８（４）に示されるようにπの位相差がある。したがって、特許第２８０３６１４号公報に記載されているような構成によって、ＯＦＤＭ信号ＯｂとＯＦＤＭ信号Ｏａ−２とを合成すると、信号レベルが低下し、合成信号の信号対雑音比が劣化する。
【０００８】
合成信号の振幅が小さくなった場合、合成信号の信号対雑音比が小さくなり、合成信号を復調した際のビット誤り率が増加する。これによって、例えば、当該受信装置をディジタルテレビ放送システムの中継装置に適用した場合、視聴者の受像機において画像再生が一時的に中断してしまうという問題が生ずる。
【０００９】
本発明はこのような課題に対してなされたものである。すなわち、合成ダイバーシチ方式を適用した受信装置において、複数のＯＦＤＭ信号を合成する際の劣化を回避し、受信信号の品質の向上を図ることを目的とする。
【課題を解決するための手段】
【００１０】
本発明は、それぞれＯＦＤＭ信号を受信する第１の受信部および第２の受信部を備えるＯＦＤＭ信号受信装置であって、前記第１の受信部で受信された第１のＯＦＤＭ信号の位相と前記第２の受信部で受信された第２のＯＦＤＭ信号の位相との差である受信位相差を低減するように、前記第１のＯＦＤＭ信号と前記第２のＯＦＤＭ信号の少なくとも一方の位相を調整して出力する位相差調整手段と、前記第１のＯＦＤＭ信号の遅延時間と前記第２のＯＦＤＭ信号の遅延時間との差である受信遅延時間差を低減するように、前記第１のＯＦＤＭ信号と前記第２のＯＦＤＭ信号の少なくとも一方の遅延時間を調整して出力する時間差調整手段と、を備える特性差低減部と、前記特性差低減部が出力する信号を合成して出力する合成部と、を備えることを特徴とする。
【００１１】
また、本発明に係るＯＦＤＭ信号受信装置においては、前記位相差調整手段は、前記特性差低減部が出力する前記第１のＯＦＤＭ信号の位相と前記特性差低減部が出力する前記第２のＯＦＤＭ信号の位相との差である特性差低減位相差を検出する位相差検出手段を備え、前記特性差低減位相差に基づいて前記受信位相差を低減する構成とすることが好適である。
【００１２】
また、本発明に係るＯＦＤＭ信号受信装置においては、前記時間差調整手段は、前記特性差低減部が出力する前記第１のＯＦＤＭ信号の遅延時間と前記特性差低減部が出力する前記第２のＯＦＤＭ信号の遅延時間との差である特性差低減時間差を検出する時間差検出手段を備え、前記特性差低減時間差に基づいて前記受信遅延時間差を低減する構成とすることが好適である。
【００１３】
また、本発明に係るＯＦＤＭ信号受信装置と、前記合成部が出力する信号を送信する送信部と、を備えることによりＯＦＤＭ信号中継装置を構成することができる。
【発明の効果】
【００１４】
本発明によれば、合成ダイバーシチ方式を適用した受信装置において、複数のＯＦＤＭ信号を合成する際の劣化を回避し、受信信号の品質の向上を図ることができる。
【発明を実施するための最良の形態】
【００１５】
図１に本発明の実施形態に係る放送システム１の構成を示す。放送システム１は、放送局Ｂ、第１経路中継局Ｐ１、第２経路中継局Ｐ２、中継装置２を含んで構成される。放送局Ｂは、放送しようとする情報を含む無線周波数帯域のＯＦＤＭ信号を送信する。第１経路中継局Ｐ１および第２経路中継局Ｐ２は、放送局Ｂから送信された信号を受信して増幅し、中継装置２の方向に送信する。この際に、第１経路中継局Ｐ１および第２経路中継局Ｐ２は送信する信号の周波数が互いに異なっていてもよい。中継装置２は、第１経路中継局Ｐ１および第２経路中継局Ｐ２から送信された信号を受信する。このようにして、放送局Ｂから送信された信号は、第１経路中継局Ｐ１を介する第１経路Ｒ１および第２経路中継局Ｐ２を介する第２経路Ｒ２によって中継装置２で受信される。中継装置２は第１経路Ｒ１および第２経路Ｒ２のそれぞれを介して受信した信号を合成して送信する。なお、放送システム１は第１経路Ｒ１および第２経路Ｒ２にそれぞれ１つの中継局を設けた構成としているが、各経路に複数の中継局を設け、複数の中継局の中継送信によってそれぞれの経路を構成することも可能である。
【００１６】
図２に中継装置２の第１の実施形態に係る中継装置２Ａの構成を示す。中継装置２Ａは、受信部１０−１，１０−２、合成部１２、制御部１４、送信部１６を備えて構成される。受信部１０−１は、アンテナ１８−１、局部発振器２０−１、周波数変換器２２−１、遅延時間調整器２４−１、位相調整器２６−１を備えて構成される。受信部１０−２は、アンテナ１８−２、局部発振器２０−２、周波数変換器２２−２、遅延時間調整器２４−２、位相調整器２６−２を備えて構成される。受信部１０−１と同一の構成部については、末尾の符号を「−１」から「−２」に変更した符号を付してその説明を簡略化する。
【００１７】
アンテナ１８−１は、第１経路中継局Ｐ１から送信された信号が到来する方向にその受信指向特性の最大方向が向けられる。アンテナ１８−１は第１経路中継局Ｐ１から送信された信号を受信し、受信信号として周波数変換器２２−１に入力する。局部発振器２０−１は、所定の周波数の局部発振器信号を生成して周波数変換器２２−１に出力する。周波数変換器２２−１は、受信信号に局部発振器信号を乗じて受信信号の周波数帯域を無線周波数帯域から中間周波数帯域に変換し、遅延時間調整器２４−１に出力する。
【００１８】
遅延時間調整器２４−１は、制御部１４が出力する遅延制御信号ＤＣ−１で特定される遅延時間だけ、入力された信号を遅延させて位相調整器２６−１へ出力する。なお、ＯＦＤＭ信号の搬送波の遅延時間とそれを変調したベースバンド信号の遅延時間とは一致する。
【００１９】
遅延時間調整器２４−１としては、いわゆる可変遅延線を適用することができる。遅延時間調整器２４−１は、定数が可変であるインダクタまたは定数が可変であるキャパシタを含んで構成される集中定数回路、電気長が可変である伝送線路、メモリ回路等によって構成することができる。
【００２０】
位相調整器２６−１は、制御部１４が出力する位相制御信号ＰＣ−１で特定される位相の調整量だけ、入力された搬送波の位相を推移させて出力信号Ｓｏ１として合成部１２へ出力する。位相調整器２６−１は、ベースバンド信号の遅延時間の変化を最小限に抑えつつ、ＯＦＤＭ信号の搬送波の位相の推移を調整できるものであることが好ましい。なお、ベースバンド信号の時間波形と搬送波の位相との関係は独立であるため、ベースバンド信号の時間波形と搬送波の位相との関係を変化させても、ＯＦＤＭ信号が含む情報が影響を受けることはない。
【００２１】
位相調整器２６−１としては、いわゆる可変移相器を適用することができる。可変移相器は、ＯＦＤＭ信号に対して著しい遅延時間を与えることなく、その搬送波の位相のみを調整して出力することが可能であるものが好ましい。位相調整器２６−１は、定数が可変であるインダクタまたは定数が可変であるキャパシタを含んで構成される集中定数回路等によって構成することができる。
【００２２】
受信部１０−２が備えるアンテナ１８−２は、第２経路中継局Ｐ２から送信された信号が到来する方向にその受信指向特性の最大方向が向けられる。受信部１０−２は、第２経路中継局Ｐ２から送信された信号を受信し、受信部１０−１と同様にして当該信号に処理を施して、出力信号Ｓｏ２として合成部１２に出力する。合成部１２は、出力信号Ｓｏ１および出力信号Ｓｏ２を加算し送信部１６に出力する。
【００２３】
送信部１６は送信回路部２８、アンテナ３０を備えて構成される。送信回路部２８は合成部１２から入力された信号を無線周波数帯の信号に変換して増幅し、アンテナ３０を介して送信する。
【００２４】
制御部１４は、遅延制御手段３２および位相制御手段３４を備えて構成される。遅延制御手段３２は、出力信号Ｓｏ１がある情報を示す時刻と出力信号Ｓｏ２がそれと同一の情報を示す時刻との差である信号間時間差を所定の時間間隔で測定する。そして、当該測定結果に基づいて、それぞれが遅延時間調整器２４−１および２４−２に対する遅延時間の調整量を示す情報を含んだ遅延制御信号ＤＣ−１およびＤＣ−２を生成し、それぞれ遅延時間調整器２４−１および２４−２に出力する。
【００２５】
位相制御手段３４は、出力信号Ｓｏ１の搬送波の位相と出力信号Ｓｏ２の搬送波の位相との差である位相差に基づいて、それぞれが位相調整器２６−１および２６−２に対する位相推移の調整量を示す情報を含んだ位相制御信号ＰＣ−１およびＰＣ−２を所定の時間間隔で生成し、それぞれ位相調整器２６−１および２６−２に出力する。
【００２６】
遅延制御手段３２および位相制御手段３４は、ＯＦＤＭ信号が有する情報または物理的特性等に基づいた処理を行う。一般に、ＯＦＤＭ信号は図３に示すように、所定の情報を示す期間である伝送シンボル３６が、時系列において複数個連なった情報単位であるフレーム３８を一単位として伝送される。伝送シンボル３６は、有効シンボル期間３６ａとガードインターバル３６ｂとから構成される。有効シンボル期間３６ａは情報伝送のために必要な情報を含む信号の期間である。ガードインターバル３６ｂは、有効シンボル期間３６ａの一部の時間波形を摘出し、それと同一の時間波形を有する信号の一期間として有効シンボル期間３６ａに前置したものである。
【００２７】
図４に遅延制御手段３２の具体的な構成を示す。遅延制御手段３２は、同期信号生成部４０−１および４０−２、タイミング差検出部４２、遅延制御信号出力部４４を備えて構成される。
【００２８】
同期信号生成部４０−１は、ガードインターバル３６ｂの時間長と同一の時間長ＴＧの信号を先摘出信号として出力信号Ｓｏ１から摘出する。また、先摘出信号の摘出開始時刻から所定時間経過後における時間長ＴＧの信号を後摘出信号として出力信号Ｓｏ１から摘出する。同期信号生成部４０−１は、先摘出信号と後摘出信号との間の波形相関をとった信号をガードインターバル検出信号Ｇ１としてタイミング差検出部４２に出力する。波形相関値は、先摘出信号の波形と後摘出信号の波形とが一致するタイミングで最大値をとるため、ガードインターバル検出信号Ｇ１は有効シンボル期間３６ａのうちガードインターバル３６ｂと一致する部分（摘出部分）が受信部１０−１から出力されるタイミングでパルス波形を示す信号となる。
【００２９】
同期信号生成部４０−２は、同期信号生成部４０−１と同様の処理によって、出力信号Ｓｏ２の有効シンボル期間３６ａの摘出部分が受信部１０−２から出力されるタイミングでパルス波形を示すガードインターバル検出信号Ｇ２を生成し、タイミング差検出部４２に出力する。
【００３０】
タイミング差検出部４２は、ガードインターバル検出信号Ｇ１とガードインターバル検出信号Ｇ２との間でパルス波形が示される時刻の差を検出し、これを信号間時間差測定値として遅延制御信号出力部４４に出力する。遅延制御信号出力部４４は、信号間時間差測定値に基づいて、出力信号Ｓｏ１と出力信号Ｓｏ２との間の信号間時間差が減少するよう遅延時間調整器２４−１および２４−２に対する遅延時間の調整量を決定し、遅延制御信号ＤＣ−１およびＤＣ−２を生成して出力する。
【００３１】
遅延時間の調整量を示す情報をどのような態様で制御信号ＤＣ−１およびＤＣ−２に含ませるかは、それぞれ遅延時間調整器２４−１および２４−２の構成によって決定する。例えば、遅延時間調整器２４−１および２４−２が、遅延時間を制御する信号の電圧値に基づいて遅延時間が調整されるものである場合には、遅延制御信号ＤＣ−１およびＤＣ−２は目的とする調整量に対応した電圧値を示す信号とすればよい。また、遅延時間調整器２４−１および２４−２が、ディジタル信号によって示される情報に基づいて遅延時間が調整されるものである場合には、遅延制御信号ＤＣ−１およびＤＣ−２をディジタル信号とし、遅延制御信号ＤＣ−１およびＤＣ−２に目的とする調整量に対応したディジタル情報を含ませればよい。
【００３２】
遅延制御手段３２のこのような処理によって、出力信号Ｓｏ１とＳｏ２の信号間時間差を所定値より小さく抑えることができる。
【００３３】
図５に位相制御手段３４の具体的な構成を示す。位相制御手段３４は、９０°遅相器５２、乗算器５４、直流成分抽出器５６、位相制御信号出力部５８を含んで構成される。出力信号Ｓｏ１は、乗算器５４に入力される。出力信号Ｓｏ２は９０°遅相器５２に入力される。９０°遅相器５２は、出力信号Ｓｏ２の搬送波の位相を９０°遅らせて乗算器５４に出力する。乗算器５４は、出力信号Ｓｏ１と９０°遅相器５２を介して入力された出力信号Ｓｏ２とを乗じて直流成分抽出器５６に出力する。直流成分抽出器５６は、乗算器５４から入力された信号の時間平均値、すなわち直流成分の値を抽出して位相制御信号出力部５８に出力する。
【００３４】
この構成では、出力信号Ｓｏ１の搬送波の位相と出力信号Ｓｏ２の搬送波の位相との差が小さい程、直流成分抽出器５６から出力される直流成分の値が０に近くなる。そこで、位相制御信号出力部５８は、当該直流成分が０に近くなるよう位相調整器２６−１および２６−２に対する位相推移の調整量を決定し、位相制御信号ＰＣ−１およびＰＣ−２を生成して出力する。
【００３５】
位相推移の調整量を示す情報をどのような態様で位相制御信号ＰＣ−１およびＰＣ−２に含ませるかは、遅延制御信号ＤＣ−１およびＤＣ−２と同様、それぞれ位相調整器２６−１および２６−２の構成によって決定すればよい。
【００３６】
位相制御手段３４のこのような処理によって、出力信号Ｓｏ１とＳｏ２の位相差を所定値より小さく抑えることができる。
【００３７】
なお、図５に示す構成の他、出力信号Ｓｏ１の搬送波と出力信号Ｓｏ２の搬送波とをフーリエ変換等によって抽出し、これらの波形相関に基づいて位相調整器２６−１および２６−２に対する位相推移の調整量を決定する構成とすることも可能である。この構成では、出力信号Ｓｏ１およびＳｏ２をディジタル信号化し、それぞれの搬送波成分を複素数で表される複素信号に変換した上で出力信号Ｓｏ１の搬送波と出力信号Ｓｏ２の搬送波との波形相関値を演算によって算出する構成とすることが好適である。
【００３８】
本実施形態に係る中継装置２Ａでは、第１経路Ｒ１を経由して受信された信号による出力信号Ｓｏ１と第２経路Ｒ２を経由して受信された信号による出力信号Ｓｏ２とが、これらの信号間時間差および位相差を所定値より小さく抑えた上で合成される。
【００３９】
信号間時間差を所定値以内に抑えることは、受信された２つのＯＦＤＭ信号のベースバンド信号の信号間時間差を所定値以内に抑えることに等しい。ところが、ＯＦＤＭ信号のベースバンド信号の時間波形と搬送波の位相との関係は独立であるため、２つのＯＦＤＭ信号の信号間時間差を所定値以内に抑えたとしても、これらの搬送波の位相差はあらゆる値をとり得る。そこで、中継装置２Ａでは、出力信号Ｓｏ１と出力信号Ｓｏ２との間の信号間時間差のみならず搬送波の位相差をも所定値より小さく抑えた上で合成する。
【００４０】
例えば、図８（１）のＯＦＤＭ信号Ｏａ−１を受信部１０−１で受信し、図８（２）のＯＦＤＭ信号Ｏｂを受信部１０−２で受信する場合には、受信部１０−１は、ＯＦＤＭ信号Ｏａ−１に対して時間ｔｄだけ遅延し、ＯＦＤＭ信号Ｏａ−１の搬送波に対してその搬送波の位相がπだけ回転した図８（４）に示すＯＦＤＭ信号Ｏａ−３を出力信号Ｓｏ１として出力する。これによって、出力信号Ｓｏ１とＳｏ２は信号の劣化を起こすことなく合成部１２において合成される。
【００４１】
中継装置２Ａのこのような構成によれば、第１経路Ｒ１を経由して受信された信号による出力信号Ｓｏ１と第２経路Ｒ２を経由して受信された信号による出力信号Ｓｏ２とが劣化を引き起こすことを回避することができ、送信部１６から送信される信号の品質を向上させることができる。例えば、中継装置２Ａをディジタルテレビ放送システムの中継装置に適用した場合、視聴者の受像機において復調されるディジタル信号のビット誤り率の増加を抑えることができ、高品質な放送サービスを提供することができる。
【００４２】
（変形例１）
上述のタイミング差検出部４２では、ガードインターバル３６ｂの周期に基づいて信号間時間差測定値を取得するため、出力信号Ｓｏ１とＳｏ２との間の信号間時間差が当該周期よりも大きい場合には、信号間時間差測定値にガードインターバル３６ｂの周期の整数倍の誤差が含まれることとなる。そこで、遅延時間制御手段３２において次に述べるフレーム同期処理を行うことで、このような誤差が生じることを回避することができる。
【００４３】
フレーム同期処理では、出力信号Ｓｏ１およびＳｏ２のそれぞれのフレーム３８の周期に基づいて信号間時間差測定値を取得する。ＯＦＤＭ信号のフレーム３８を構成する伝送シンボル３６のうちいずれかは、フレーム３８と同期をとるための同期パターンシンボルとして割り当てられている。同期パターンシンボルは予め定められた所定の符号パターンの情報を有する。その符号パターンは同期パターンシンボルとして割り当てられたＯＦＤＭ信号の一期間における振幅または位相に対応付けられる。
【００４４】
同期信号生成部４０−１および４０−２は、上述の所定の符号パターンを記憶しているものとする。同期信号生成部４０−１は、当該記憶している符号パターンに基づいて、出力信号Ｓｏ１の振幅または位相が当該所定の符号パターンに対応付けられたパターンで変化するタイミングを検出する。そして、同期パターンシンボルが割り当てられたタイミングでパルス波形を示すフレーム検出信号Ｆ１を生成し、タイミング差検出部４２に出力する。同期信号生成部４０−２は、同様にして、出力信号Ｓｏ２に同期パターンシンボルが割り当てられたタイミングでパルス波形を示すフレーム検出信号Ｆ２をタイミング差検出部４２に出力する。
【００４５】
タイミング差検出部４２は、フレーム検出信号Ｆ１とフレーム検出信号Ｆ２との間でパルス波形が示される時刻の差を検出し、これを信号間時間差測定値として遅延制御信号出力部４４に出力する。
【００４６】
フレーム同期処理では、フレーム３８の周期までの信号間時間差を測定することができるため、ガードインターバル３６ｂの周期より大きい信号間時間差を測定することができる。したがって、遅延制御手段３２においてフレーム同期処理を行う構成では、第１経路Ｒ１を経由して受信された信号と第２経路Ｒ２を経由して受信された信号との間の遅延時間の差がガードインターバル３８ｂの周期より大きくとも、フレーム３８の周期以下であれば、送信部１６から送信される信号の品質を向上させることができる。
【００４７】
（変形例２）
遅延制御手段３２は、図６に示す遅延制御手段３２Ａに置き換えることが可能である。遅延制御手段３２Ａは、合成部４６、スペクトラム解析部４８、遅延制御信号出力部５０を備えて構成される。合成部４６は、出力信号Ｓｏ１の振幅の時間平均値と出力信号Ｓｏ２の振幅の時間平均値とを同一にして加算することにより、出力信号Ｓｏ１と出力信号Ｓｏ２との間の干渉信号を生成し、スペクトラム解析部４８に出力する。
【００４８】
一般に、振幅値が同程度で時間差のある２つのＯＦＤＭ信号を加算した場合、当該加算された信号の周波数スペクトラムには干渉によって減衰点が現れる。この減衰点の周波数間隔は、２つのＯＦＤＭ信号の信号間時間差の逆数に等しくなる。また、当該加算された信号の周波数スペクトラムに対して逆フーリエ変換を施して得られた波形には信号間時間差の間隔で遅延波が配列される。
【００４９】
スペクトラム解析部４８は、干渉信号の周波数スペクトラムを算出し、上述の減衰点の周波数間隔の逆数を算出することによって信号間時間差を算出する。または、当該周波数スペクトラムに対して逆フーリエ変換を施して得られる波形に基づいて信号間時間差を算出する。スペクトラム解析部４８は、このようにして算出した信号間時間差を、信号間時間差測定値として遅延制御信号出力部５０に出力する。遅延制御信号出力部５０は信号間時間差測定値に基づいて遅延制御信号ＤＣ−１およびＤＣ−２を生成して出力する。
【００５０】
その他、遅延制御手段３２は、出力信号Ｓｏ１およびＳｏ２のフレームに含まれる共通の情報を復調した時刻の差に基づいて信号間時間差を測定する構成とすることができる。出力信号Ｓｏ１と出力信号Ｓｏ２は、同一の放送局Ｂから送信された信号がそれぞれ受信部１０−１および１０−２で処理されたものであるため、同一の情報が含まれる。そこで、出力信号Ｓｏ１から当該情報が復調された時刻と、出力信号Ｓｏ２から当該情報が復調された時刻との差に基づいて信号間時間差を測定することができる。例えば、放送局Ｂから送信されるＯＦＤＭ信号のフレームには送信時刻に関連する情報が含まれており、これを出力信号Ｓｏ１およびＳｏ２に含まれる共通の情報として適用することができる。
【００５１】
次に、中継装置２の第２の実施形態に係る中継装置２Ｂについて説明する。図７に中継装置２Ｂの構成を示す。図２の中継装置２Ａの構成部と同一の構成部については同一の符号を付してその説明を省略する。
【００５２】
中継装置２Ｂは、位相調整器２６−１および２６−２をそれぞれ局部発振器２０−１と周波数変換器２２−１との間および局部発振器２０−２と周波数変換器２２−２との間に設けたものである。遅延時間調整器２４−１および遅延時間調整器２４−２から出力される信号はそれぞれ出力信号Ｓｏ１およびＳｏ２として出力される。
【００５３】
局部発振器２０−１および２０−２が出力する局部発振器信号は無変調信号である。したがって、位相調整器２６−１および２６−２が位相推移を調整する対象とする信号の周波数帯域幅を、中継装置２Ａの場合に比して狭くすることができる。これによって位相調整器２６−１および２６−２の設計および製造は容易となり、設計コストおよび製造コストを低減することができる。
【図面の簡単な説明】
【００５４】
【図１】本発明の実施形態に係る放送システム１の構成を示す図である。
【図２】第１の実施形態に係る中継装置の構成を示す図である。
【図３】ＯＦＤＭ信号の構成を示す図である。
【図４】遅延制御手段の構成を示す図である。
【図５】位相制御手段の構成を示す図である。
【図６】第１の実施形態の変形例に係る遅延制御手段の構成を示す図である。
【図７】第２の実施形態に係る中継装置の構成を示す図である。
【図８】ＯＦＤＭ信号のタイミングとその搬送波のタイミングとの関係を示す図である。
【符号の説明】
【００５５】
１  放送システム、２，２Ａ，２Ｂ  中継装置、１０−１，１０−２  受信部、１２  合成部、１４  制御部、１６  送信部、１８−１，１８−２，３０  アンテナ、２０−１，２０−２  局部発振器、２２−１，２２−２  周波数変換器、２４−１，２４−２  遅延時間調整器、２６−１，２６−２  位相調整器、２８  送信回路部、３２，３２Ａ  遅延制御手段、３４  位相制御手段、３６  伝送シンボル、３６ａ  有効シンボル期間、３６ｂ  ガードインターバル、３８  フレーム、４０−１，４０−２  同期信号生成部、４２  タイミング差検出部、４４，５０  遅延制御信号出力部、４６  合成部、４８  スペクトラム解析部、５２  ９０°遅相器、５４  乗算器、５６  直流成分抽出器、５８  位相制御信号出力部、Ｂ  放送局、Ｒ１  第１経路、Ｒ２  第２経路、Ｐ１  第１経路中継局、Ｐ２  第２経路中継局、Ｏａ−１，Ｏａ−２，Ｏｂ  ＯＦＤＭ信号、Ｃａ−１，Ｃａ−２，Ｃｂ  搬送波。
【図１】
2008109492.tif 000003
【図２】
2008109492.tif 000004
【図３】
2008109492.tif 000005
【図４】
2008109492.tif 000006
【図５】
2008109492.tif 000007
【図６】
2008109492.tif 000008
【図７】
2008109492.tif 000009
【図８】
2008109492.tif 000010